(57)【特許請求の範囲】
【請求項１】
複数のかごが停止する乗場に設けられた呼び入力装置と、
前記呼び入力装置から入力された呼びに対する割当かごを前記複数のかごの中から決定する割り当て手段と、
前記乗場に設けられたカメラと、
前記カメラによって撮影された画像に基づいて、乗客の属性を特定する属性特定手段と、
前記属性特定手段によって特定された属性及び前記カメラによって撮影された画像に基づいて、前記割り当て手段によって決定された割当かごの前記乗場での停止位置に向かっている乗客のうち、属性の優先順位が最も高い乗客を優先すべき乗客と特定する乗客特定手段と、
前記乗客特定手段によって特定された乗客の位置と前記割り当て手段によって決定された割当かごの前記乗場での停止位置との距離を算出する距離算出手段と、
前記距離算出手段によって算出された距離に基づいて、前記割り当て手段によって決定された割当かごの前記乗場での不干渉時間を設定する設定手段と、
を備え、
前記優先順位は予め設定され、
前記乗客特定手段は、前記割り当て手段によって決定された割当かごが前記乗場に停止した後に、優先すべき乗客を特定するエレベーターシステム。
【請求項２】
前記設定手段は、前記距離算出手段によって算出された距離と前記乗客特定手段によって特定された乗客に対して前記属性特定手段が特定した属性とに基づいて、前記割り当て手段によって決定された割当かごの前記乗場での不干渉時間を設定する請求項１に記載のエレベーターシステム。
【請求項３】
複数のかごが停止する乗場に設けられた呼び入力装置と、
前記呼び入力装置から入力された呼びに対する割当かごを前記複数のかごの中から決定する割り当て手段と、
前記乗場に設けられたカメラと、
前記カメラによって撮影された画像に基づいて、乗客の属性を特定する属性特定手段と、
前記カメラによって撮影された画像に基づいて、乗客の位置と前記割り当て手段によって決定された割当かごの前記乗場での停止位置との距離を算出する距離算出手段と、
前記属性特定手段によって特定された属性と前記距離算出手段によって算出された距離とに基づいて算出される判定値が最も大きい乗客を優先すべき乗客と特定する乗客特定手段と、
前記乗客特定手段によって特定された乗客に対して前記属性特定手段が特定した属性と前記距離算出手段が算出した距離とに基づいて、前記割り当て手段によって決定された割当かごの前記乗場での不干渉時間を設定する設定手段と、
を備えたエレベーターシステム。
【請求項４】
前記乗客特定手段は、前記割り当て手段によって決定された割当かごが前記乗場に停止した後に、優先すべき乗客を特定する請求項３に記載のエレベーターシステム。
【請求項５】
前記属性特定手段は、前記割り当て手段によって決定された割当かごが前記乗場に停止する前に前記カメラによって撮影された画像に基づいて、乗客の属性を特定する請求項１又は請求項４に記載のエレベーターシステム。
【請求項６】
前記属性特定手段は、乗客の属性の一つとして車椅子利用を特定し、
前記乗客特定手段は、前記属性特定手段によって属性として車椅子利用が特定された乗客を、優先すべき乗客として特定しない
請求項１から請求項５の何れか一項に記載のエレベーターシステム。
【請求項７】
車椅子を利用する乗客のための呼びを前記呼び入力装置から入力することが可能である請求項６に記載のエレベーターシステム。
【発明の詳細な説明】
【技術分野】
【０００１】
この発明は、複数のかごが同じ乗場に停止するエレベーターシステムに関する。
【背景技術】
【０００２】
特許文献１に、エレベーター装置が記載されている。特許文献１に記載されたエレベーター装置では、乗場の天井にカメラが設置される。カメラによって撮影された画像に基づいて、乗客が障がい者であるか否かが判定される。乗客が障がい者であることが判定されると、障がい者に合わせた運転モードが開始される。
【先行技術文献】
【特許文献】
【０００３】
【特許文献１】特開２００４−１０３０３号公報
【発明の概要】
【発明が解決しようとする課題】
【０００４】
大規模な商業用ビル等では、１つの乗場に複数のかごが停止する。また、複数のかごが停止するため、乗場が広い。このため、乗客から離れた位置にかごが停止すると、乗客がかごに乗る前にドアが閉まってしまうことがある。特に、乗客が障がい者である場合或いは高齢者である場合は、このような問題が発生し易い。
【０００５】
なお、特許文献１に記載されたエレベーター装置は１つのかごしか備えていない。このため、特許文献１に記載されたエレベーター装置では、このような問題を解決することはできなかった。
【０００６】
この発明は、上述のような課題を解決するためになされた。この発明の目的は、複数のかごが停止する乗場において、乗客がかごに乗り遅れてしまうことを低減できるエレベーターシステムを提供することである。
【課題を解決するための手段】
【０００７】
この発明に係るエレベーターシステムは、複数のかごが停止する乗場に設けられた呼び入力装置と、呼び入力装置から入力された呼びに対する割当かごを複数のかごの中から決定する割り当て手段と、乗場に設けられたカメラと、カメラによって撮影された画像に基づいて、乗客の属性を特定する属性特定手段と、属性特定手段によって特定された属性及びカメラによって撮影された画像に基づいて、割り当て手段によって決定された割当かごの乗場での停止位置に向かっている乗客のうち、属性の優先順位が最も高い乗客を優先すべき乗客と特定する乗客特定手段と、乗客特定手段によって特定された乗客の位置と割り当て手段によって決定された割当かごの乗場での停止位置との距離を算出する距離算出手段と、距離算出手段によって算出された距離に基づいて、割り当て手段によって決定された割当かごの乗場での不干渉時間を設定する設定手段と、を備える。優先順位は予め設定される。乗客特定手段は、割り当て手段によって決定された割当かごが乗場に停止した後に、優先すべき乗客を特定する。
【０００８】
この発明に係るエレベーターシステムは、複数のかごが停止する乗場に設けられた呼び入力装置と、呼び入力装置から入力された呼びに対する割当かごを複数のかごの中から決定する割り当て手段と、乗場に設けられたカメラと、カメラによって撮影された画像に基づいて、乗客の属性を特定する属性特定手段と、カメラによって撮影された画像に基づいて、乗客の位置と割り当て手段によって決定された割当かごの乗場での停止位置との距離を算出する距離算出手段と、属性特定手段によって特定された属性と距離算出手段によって算出された距離とに基づいて算出される判定値が最も大きい乗客を優先すべき乗客と特定する乗客特定手段と、乗客特定手段によって特定された乗客に対して属性特定手段が特定した属性と距離算出手段が算出した距離とに基づいて、割り当て手段によって決定された割当かごの乗場での不干渉時間を設定する設定手段と、を備える。
【発明の効果】
【０００９】
この発明に係るエレベーターシステムであれば、複数のかごが停止する乗場において、乗客がかごに乗り遅れてしまうことを低減できる。
【図面の簡単な説明】
【００１０】
【図１】この発明の実施の形態１におけるエレベーターシステムの例を示す図である。
【図２】図１に示すエレベーターシステムが適用された建物の乗場を示す平面図である。
【図３】この発明の実施の形態１におけるエレベーターシステムの動作例を示すフローチャートである。
【図４】この発明の実施の形態２におけるエレベーターシステムの動作例を示すフローチャートである。
【図５】群管理装置のハードウェア構成を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１におけるエレベーターシステムの例を示す図である。図２は、図１に示すエレベーターシステムが適用された建物の乗場を示す平面図である。
【００１３】
群管理装置１は、ビル等に設置された複数台のエレベーター装置を管理する。本実施の形態に示す例では、群管理装置１は８台のエレベーター装置を管理する。群管理装置１は、７台以下のエレベーター装置を管理しても良いし、９台以上のエレベーター装置を管理しても良い。以下においては、特定のエレベーター装置について説明する場合、符号の後にＡ〜Ｈを付して他のエレベーター装置と区別する。エレベーター装置Ａからエレベーター装置Ｈまでの配置は、図２に示す通りである。
【００１４】
各エレベーター装置は、かご２、巻上機３及び制御装置４を備える。例えば、エレベーター装置Ａは、かご２Ａ、巻上機３Ａ及び制御装置４Ａを備える。かご２は、昇降路を上下に移動する。かご２は、巻上機３によって駆動される。巻上機３は、制御装置４によって制御される。制御装置４は、群管理装置１から受信する情報に基づいて、制御装置４を制御する。
【００１５】
図２は、かご２Ａからかご２Ｈが停止する乗場５の例として、ロビー階の乗場５を示す。乗場５に、呼び入力装置６が設けられる。図２は、乗場５に４台の呼び入力装置６が設けられる例を示す。乗場５に設置される呼び入力装置６の台数は、図２に示す例に限定されない。呼び入力装置６は、乗客が乗場５で呼びを入力するための装置である。呼び入力装置６から入力される呼びは、乗場呼びでも良いし乗場行先呼びでも良い。呼び入力装置６から入力された呼びの情報は、群管理装置１に入力される。
【００１６】
乗場５に、カメラ７が設けられる。カメラ７は、乗場５にいる人を撮影することができるように乗場５の壁或いは天井等に設置される。図２は、乗場５に１台のカメラ７が設けられる例を示す。乗場５に複数台のカメラ７が設置されても良い。カメラ７によって撮影された画像の情報は、群管理装置１に入力される。
【００１７】
乗場５に、報知装置８が設けられる。報知装置８は、乗場５にいる乗客に情報を報知するための装置である。報知装置８は、文字等を表示することによって情報を報知しても良いし、音声によって情報を報知しても良い。報知装置８は、例えば群管理装置１によって制御される。
【００１８】
群管理装置１は、例えば割り当て部９、属性特定部１０、乗客特定部１１、距離算出部１２及び設定部１３を備える。
【００１９】
割り当て部９は、割当かごを決定する。割当かごは、呼び入力装置６から入力された呼びを割り当て、その呼びに応答させるかごである。乗客は、呼び入力装置６から呼びを入力する。呼び入力装置６は、入力された呼びの情報を群管理装置１に送信する。割り当て部９は、呼び入力装置６から入力された呼びに対する割当かごを、管理する複数のかご２の中から決定する。本実施の形態に示す例では、割り当て部９は、かご２Ａからかご２Ｈの中から割当かごを決定する。割り当て部９が割当かごを決定する方法は、如何なる方法でも良い。
【００２０】
割り当て部９は、ある呼びに対する割当かごを決定すると、対応の制御装置４に呼びの割当情報を送信する。例えば、割り当て部９は、ある呼びに対する割当かごをかご２Ａに決定すると、制御装置４Ａにその呼びの割当情報を送信する。制御装置４は、群管理装置１から受信した割当情報に基づいて、割り当てられた呼びにかご２を応答させるように巻上機３及びかご２を制御する。
【００２１】
属性特定部１０は、乗場５にいる乗客の属性を特定する。属性特定部１０は、例えばカメラ７によって撮影された画像に基づいて乗客の属性を特定する。属性特定部１０が特定する乗客の属性は、例えば障がい者、高齢者及び子供である。属性特定部１０が特定する乗客の属性は、上記例に限定されない。属性特定部１０は、上記例に該当しない乗客の属性を健常者と特定しても良い。
【００２２】
群管理装置１に、乗客の属性を特定するための情報が予め記憶される。例えば、乗客の属性を特定するための情報として、人の動作パターンに関する情報、人の移動速度に関する情報及び人の外観に関する情報が群管理装置１に記憶される。属性特定部１０は、カメラ７によって撮影された画像から得られた情報を、群管理装置１に予め記憶されたこれらの情報と比較する。属性特定部１０は、この比較により、乗場５にいる乗客の属性を特定する。
【００２３】
乗客特定部１１は、優先すべき乗客を特定する。乗場５に停止したかご２の制御は、乗客特定部１１が特定した乗客が優先されるように行われる。本実施の形態に示す例では、乗客特定部１１は、属性特定部１０によって特定された乗客の属性とカメラ７によって撮影された画像とに基づいて、優先すべき乗客を特定する。
【００２４】
例えば、属性特定部１０が特定し得る属性に対して優先順位が予め設定される。例えば、子供の優先順位は健常者の優先順位より高い。高齢者の優先順位は子供の優先順位より高い。障がい者の優先順位は高齢者の優先順位より高い。例えば、乗客特定部１１は、一定の条件の下、属性特定部１０によって特定された属性の中で最も優先順位が高い属性の乗客を優先すべき乗客であると特定する。
【００２５】
距離算出部１２は、乗場５にいる乗客の位置と割り当て部９によって決定された割当かごの乗場５での停止位置との距離を算出する。例えば、距離算出部１２は、カメラ７によって撮影された画像に基づいて、乗場５にいる乗客の位置を特定する。本実施の形態に示す例では、距離算出部１２は、乗客特定部１１によって特定された乗客の位置と割当かごの乗場５での停止位置との距離を算出する。
【００２６】
設定部１３は、割り当て部９によって決定された割当かごの乗場５での不干渉時間を設定する。かご２が乗場５に停止して戸開した後、何の操作も行われることなく不干渉時間が経過すると、戸閉動作が開始される。本実施の形態に示す例では、設定部１３は、距離算出部１２によって算出された距離に基づいて、割当かごの乗場５での不干渉時間を設定する。
【００２７】
以下に、図３も参照し、本実施の形態におけるエレベーターシステムの動作について詳細に説明する。図３は、この発明の実施の形態１におけるエレベーターシステムの動作例を示すフローチャートである。
【００２８】
群管理装置１は、呼び入力装置６から呼びの情報を受信したか否かを判定する（Ｓ１０１）。例えば、乗場５にいる乗客が呼び入力装置６から呼びを入力する。呼び入力装置６は、入力された呼びの情報を群管理装置１に送信する。群管理装置１が呼び入力装置６から呼びの情報を受信すると、割り当て部９は、呼び入力装置６から入力された呼びに対する割当かごを決定する（Ｓ１０２）。以下においては、乗場５の呼び入力装置６から入力された呼びに対し、割り当て部９がかご２Ｈを割当かごに決定した例について説明する。
【００２９】
割り当て部９は、かご２Ｈを割当かごに決定すると、制御装置４Ｈに割当情報を送信する（Ｓ１０３）。群管理装置１から割当情報を受信した制御装置４Ｈは、入力された呼びにかご２Ｈを応答させるように巻上機３Ｈを制御する。
【００３０】
群管理装置１は、制御装置４Ｈに割当情報を送信すると、割当かご、即ちかご２Ｈが乗場５に到着したか否かを判定する（Ｓ１０４）。かご２Ｈが乗場５に到着すると、先ず、属性特定部１０が乗場５にいる乗客の属性を特定する（Ｓ１０５）。具体的には、かご２Ｈが乗場５に到着すると、カメラ７によって撮影された画像の情報が群管理装置１に入力される。属性特定部１０は、カメラ７によって撮影された画像から得られた情報を、群管理装置１に予め記憶された情報と比較することにより、乗場５にいる乗客の属性を特定する。例えば、属性特定部１０は、乗場５にいる乗客の属性の優先順位を決定する。
【００３１】
次に、乗客特定部１１は、優先すべき乗客を特定する（Ｓ１０６）。例えば、乗客特定部１１は、かご２Ｈが乗場５に到着した直後にカメラ７によって撮影された画像とその後にカメラ７によって撮影された画像とを比較し、かご２Ｈが停止する位置に向かっている乗客を特定する。乗客特定部１１は、かご２Ｈが停止する位置に向かっている乗客のうち属性の優先順位が最も高い乗客を、優先すべき乗客であると特定する。
【００３２】
例えば、図２に示す乗客Ｐ１の属性の優先順位より乗客Ｐ２の属性の優先順位が高くても、かご２Ｈが乗場５に到着した際に乗客Ｐ２がエレベーター装置Ａの方向を向いたまま動かなければ、乗客特定部１１は乗客Ｐ２を優先すべき乗客に特定しない。乗客特定部１１は、かご２Ｈが停止する位置に向かっている乗客の中で乗客Ｐ１の属性の優先順位が最も高ければ、乗客Ｐ１を優先すべき乗客と特定する。
【００３３】
距離算出部１２は、優先すべき乗客の位置とかご２Ｈが乗場５で停止する位置との距離を算出する（Ｓ１０７）。設定部１３は、距離算出部１２によって算出された距離に基づいて、かご２Ｈの乗場５での不干渉時間を設定する（Ｓ１０８）。例えば、設定部１３は、距離算出部１２によって算出された距離が長くなるほど不干渉時間が長くなるようにかご２Ｈの乗場５での不干渉時間を設定する。この時、設定部１３は、報知装置８から報知させる内容を設定しても良い。設定部１３は、戸閉速度を設定しても良い（Ｓ１０９）。
【００３４】
設定部１３によって設定された内容は、例えば制御装置４Ｈ及び報知装置８に送信される（Ｓ１１０）。制御装置４Ｈは、設定部１３によって設定された不干渉時間に基づいて、かご２Ｈが乗場５で戸閉を開始するタイミングを決定する。また、制御装置４Ｈは、設定部１３によって設定された戸閉速度に基づいて、戸閉動作を行う。例えば、優先すべき乗客の属性が障がい者であれば、通常の戸閉速度より遅い速度で戸閉される。報知装置８からは、設定部１３によって設定された内容の報知が行われる。例えば、「Ｘ秒後にかご２Ｈの戸閉が開始されます。」といった内容が報知装置８から報知される。
【００３５】
本実施の形態に示す例では、割り当て部９によって決定された割当かごが乗場５に停止した後に乗客特定部１１によって優先すべき乗客が特定される。このため、広い乗場５にいる乗客の中から、優先すべき乗客として割当かごに乗ろうとしている乗客を適切に選ぶことができる。本エレベーターシステムであれば、複数のかご２が停止する乗場５において、乗客がかご２に乗り遅れてしまうことを低減できる。
【００３６】
本実施の形態に示す例では、設定部１３は、距離算出部１２によって算出された距離に基づいて不干渉時間を設定する。設定部１３は、距離算出部１２によって算出された距離と属性特定部１０によって特定された乗客の属性とに基づいて、割当かごの乗場５での不干渉時間を設定しても良い。例えば、設定部１３は、不干渉時間を設定する際に、乗客特定部１１によって特定された乗客の属性を考慮する。かかる構成であれば、乗客の属性に合わせて不干渉時間を調整できる。
【００３７】
本実施の形態に示す例では、属性特定部１０は、割当かごが乗場５に停止した後に乗客の属性を特定する。属性特定部１０による属性の特定は、割当かごが乗場５に停止する前に行われても良い。かかる構成であれば、割当かごが乗場５に停止してからの群管理装置１の負荷を低減できる。
【００３８】
また、車椅子を利用する乗客は、自分が待っている位置から離れた位置にかご２が停止しても、移動に時間がかかるためにそのかご２に乗らないことがある。このため、属性特定部１０が乗客の属性の一つとして車椅子利用を特定する場合、乗客特定部１１は、属性特定部１０によって属性として車椅子利用が特定された乗客を、優先すべき乗客として特定しなくても良い。特に、複数のかご２が乗場５に停止する場合は、車椅子を利用する乗客のための呼びを呼び入力装置６から入力できることが多い。かかる場合、特定のかご２がその呼びに対する割当かごとして選ばれる。上記特定のかご２は、車椅子用のモードで運転される。車椅子を利用する乗客はその特定のかご２に乗るため、車椅子を利用する乗客を優先すべき乗客として特定しなくても不都合は生じない。
【００３９】
実施の形態２．
本実施の形態におけるエレベーターシステムの構成は、図１に示す構成と同様である。群管理装置１によって管理される各エレベーター装置の構成は、実施の形態１で開示した構成と同様である。また、乗場５に設置された呼び入力装置６、カメラ７及び報知装置８の構成は、実施の形態１で開示した構成と同様である。本実施の形態に示す群管理装置１は、一部の機能が実施の形態１で開示した機能と相違する。本実施の形態で開示しない群管理装置１の機能については、実施の形態１で開示した何れかの機能と同様である。
【００４０】
群管理装置１は、例えば割り当て部９、属性特定部１０、乗客特定部１１、距離算出部１２及び設定部１３を備える。割り当て部９の機能は実施の形態１で開示した機能と同様である。属性特定部１０の機能は実施の形態１で開示した機能と同様である。
【００４１】
距離算出部１２は、乗場５にいる乗客の位置と割り当て部９によって決定された割当かごの乗場５での停止位置との距離を算出する。例えば、距離算出部１２は、カメラ７によって撮影された画像に基づいて、乗場５にいる乗客の位置を特定する。本実施の形態に示す例では、例えば、距離算出部１２は、乗場５にいる全ての乗客について、乗客の位置と割当かごの乗場５での停止位置との距離を算出する。距離算出部１２は、乗場５にいる一部の乗客についてのみ上記距離を算出しても良い。例えば、距離算出部１２は、属性の優先順位がある基準より高い乗客についてのみ上記距離を算出しても良い。
【００４２】
乗客特定部１１は、優先すべき乗客を特定する。本実施の形態に示す例では、乗客特定部１１は、属性特定部１０によって特定された属性と距離算出部１２によって算出された距離とに基づいて、優先すべき乗客を特定する。
【００４３】
例えば、属性特定部１０が特定し得る属性に対して係数が予め設定される。例えば、健常者に対する係数は１に設定される。子供に対する係数は健常者に対する係数より大きな値、例えば１．２に設定される。高齢者に対する係数は子供に対する係数より大きな値、例えば１．５に設定される。障がい者に対する係数は高齢者に対する係数より大きな値、例えば２．０に設定される。乗客特定部１１は、各乗客について、距離算出部１２によって算出された距離に上記係数を掛け合わせた判定値を算出する。乗客特定部１１は、算出した判定値が最も大きい乗客を優先すべき乗客であると特定する。
【００４４】
設定部１３は、割当かごの乗場５での不干渉時間を設定する。本実施の形態に示す例では、設定部１３は、乗客特定部１１によって特定された乗客に対して属性特定部１０が特定した属性と距離算出部１２が算出した距離とに基づいて、割当かごの乗場５での不干渉時間を設定する。
【００４５】
以下に、図４も参照し、本実施の形態におけるエレベーターシステムの動作について詳細に説明する。図４は、この発明の実施の形態２におけるエレベーターシステムの動作例を示すフローチャートである。図４のＳ２０１からＳ２０５に示す動作は、図３のＳ１０１からＳ１０５に示す動作と同様である。本実施の形態においても、乗場５の呼び入力装置６から入力された呼びに対し、割り当て部９がかご２Ｈを割当かごに決定した例について説明する。
【００４６】
かご２Ｈが乗場５に到着すると、距離算出部１２は、乗場５にいる乗客の位置とかご２Ｈが乗場５で停止する位置との距離を算出する（Ｓ２０６）。次に、乗客特定部１１は、優先すべき乗客を特定する（Ｓ２０７）。例えば、乗客特定部１１は、各乗客について、距離算出部１２によって算出された距離に属性に設定されている係数を掛け合わせた判定値を算出する。乗客特定部１１は、算出した判定値が最も大きい乗客を優先すべき乗客であると特定する。例えば、図２に示す乗客Ｐ３が乗客Ｐ２よりかご２Ｈの停止位置の近くにいても、乗客Ｐ２が健常者で乗客Ｐ３が障がい者或いは高齢者であれば、乗客特定部１１は乗客Ｐ３を優先すべき乗客と特定する場合がある。
【００４７】
設定部１３は、優先すべき乗客の属性とかご２Ｈの停止位置までの距離とに基づいて、かご２Ｈの乗場５での不干渉時間を設定する（Ｓ２０８）。図４のＳ２０９及びＳ２１０に示す動作は、図３のＳ１０９及びＳ１１０に示す動作と同様である。
【００４８】
本実施の形態に示す例では、属性特定部１０によって特定された属性と距離算出部１２によって算出された距離とに基づいて、優先すべき乗客が特定される。このため、割当かごまでの距離も考慮した不干渉時間の設定が可能となる。本エレベーターシステムであれば、複数のかご２が停止する乗場５において、乗客がかご２に乗り遅れてしまうことを低減できる。
【００４９】
本実施の形態に示す例では、優先すべき乗客の特定が割当かごが乗場５に停止した後に行われる。乗客特定部１１は、属性特定部１０によって特定された属性と距離算出部１２によって算出された距離とに加え、カメラ７によって撮影された画像にも基づいて、優先すべき乗客を特定しても良い。例えば、乗客特定部１１は、かご２Ｈが停止する位置に向かっている乗客の中から優先すべき乗客を特定する。かかる構成であれば、広い乗場５にいる乗客の中から、優先すべき乗客として割当かごに乗ろうとしている乗客を適切に選ぶことができる。
【００５０】
符号９−１３に示す各部は、群管理装置１が有する機能を示す。図５は、群管理装置１のハードウェア構成を示す図である。群管理装置１は、ハードウェア資源として、例えばプロセッサ１４とメモリ１５とを含む処理回路を備える。群管理装置１は、メモリ１５に記憶されたプログラムをプロセッサ１４によって実行することにより、上述した各機能を実現する。群管理装置１が有する各機能の一部又は全部をハードウェアによって実現しても良い。
【符号の説明】
【００５１】
１  群管理装置
２  かご
３  巻上機
４  制御装置
５  乗場
６  呼び入力装置
７  カメラ
８  報知装置
９  割り当て部
１０  属性特定部
１１  乗客特定部
１２  距離算出部
１３  設定部
１４  プロセッサ
１５  メモリ
【図１】
0006533979.tif 000002
【図２】
0006533979.tif 000003
【図３】
0006533979.tif 000004
【図４】
0006533979.tif 000005
【図５】
0006533979.tif 000006